(57)【要約】      （修正有）【課題】杖を使用して歩行中に蜂などに遭遇した場合に、それらを撃退するスプレーの噴射をより迅速にかつ確実におこなうこと。【解決手段】撃退装置１００は、歩行の際に、当該歩行を補助する杖部（シャフト）１０１と、杖部１０１の長手方向の一端に設けられた把持部（グリップ）１０２と、把持部１０２の近傍に設けられた、スプレー容器を収納する容器収納部１０３と、把持部１０２の所定の箇所に設けられた、スプレー容器内の薬剤を噴射させる操作部１０５と、把持部１０２または容器収納部１０３に設けられた、操作部１０５による操作により、スプレー容器内の薬剤が噴射される噴射孔１０４と、を備えるので、トレッキングポールとして使用し、蜂などに遭遇した場合に、すぐさまスプレーを噴射して、撃退することができる。【選択図】図１
2020145966.tif 000002
【特許請求の範囲】
【請求項１】
歩行の際に、当該歩行を補助する杖部と、
前記杖部の長手方向の一端に設けられた把持部と、
前記把持部の近傍に設けられた、スプレー容器を収納する容器収納部と、
前記把持部の所定の箇所に設けられた、前記スプレー容器内の薬剤を噴射させる操作部と、
前記把持部または前記容器収納部に設けられた、前記操作部による操作により、前記スプレー容器内の薬剤が噴射される噴射孔と、
を備えたことを特徴とする撃退装置。
【請求項２】
前記操作部は、押下するボタンと、当該ボタンをカバーするカバー部材と、を有することを特徴とする請求項１に記載の撃退装置。
【請求項３】
前記容器収納部は、前記スプレー容器の出し入れをする開口部を備えたことを特徴とする請求項１または２に記載の撃退装置。
【請求項４】
前記容器収納部は、前記スプレー容器の噴射口と前記噴射孔との位置を調整する調整機構を備えたことを特徴とする請求項１〜３のいずれか一つに記載の撃退装置。
【発明の詳細な説明】
【技術分野】
【０００１】
この発明は、蜂などの人間に害を及ぼす生物を撃退する撃退装置に関する。
【背景技術】
【０００２】
従来から、出願人における業務の一つとして、送電線巡視業務などがある。この業務は山林などに設置されている送電線を巡視するものであり、そのため、作業員は、山道などを徒歩にて移動する必要がある。その際、作業員は、山道などの歩行の補助として杖（トレッキングポール）を使用することがある。
【０００３】
そのような山道などを歩行中に、人間に対して攻撃し、危害を加える蜂などの生物に遭遇することがある。そのため、その対策として、蜂を撃退するために開発され、販売されているスプレー（蜂スプレー）を携行している。その際、作業員は、作業の効率化を考慮し、蜂スプレーを、自身のポケットやリュックサックに入れて持ち運んでいる場合が多い。
【０００４】
そして、業務中（山道を歩行中）に、万が一、蜂に遭遇した場合、あるいは、遭遇した蜂の襲撃を受けた場合には、携行している蜂スプレーを、蜂目掛けて噴射する。これにより、蜂を撃退したり、蜂の襲撃を回避することができる。
【０００５】
関連する技術として、具体的には、たとえば、所定方向に加えられた外力に応じて本体部の内部側面に沿って往復動する支持脚の外部側面に熊よけの薬剤が入ったスプレー缶が固定された支持脚を、所定方向に加えられた外力に応じて本体部の内部側面に沿って往復動させ、本体部の外部側面に取り付けられた押圧部によってスプレー缶の噴射作動部を押圧することで、熊よけとしても使用することができるようにしたステッキに関する技術がある（たとえば、下記特許文献１を参照。）。
【０００６】
また、関連する技術として、具体的には、たとえば、中空形状の中棒の一端に設けられ、操作された場合に、中棒内に収容されたスプリングの付勢力によって、中棒の他端に取り付けられた展開シートを広げるように複数本の親骨を展開する展開ボタンが取り付けられた握柄に液化防犯ガスを充填した防犯スプレーのボンベを設け、中棒の先端部に取り付けられた石突にボンベからの防犯ガスを噴射させる噴射ノズルを設けた野生動物撃退ステッキに関する技術がある（たとえば、下記特許文献２を参照。）。
【先行技術文献】
【特許文献】
【０００７】
【特許文献１】特開２００７−２８４９２１号公報
【特許文献２】特開２００６−１２１９７７号公報
【発明の概要】
【発明が解決しようとする課題】
【０００８】
しかしながら、上述のように、歩行時はトレッキングポール（杖）を使用しており、蜂スプレーを収納するのに適した収納場所がないため、ポケットやリュックサックに入れているが、蜂との遭遇は突然であり、その際に、迅速に蜂スプレーを噴射することができない場合がある。そのため、蜂スプレーによる蜂への攻撃、自身の防御を十分おこなうことができず、被害に遭ってしまうことが多いという問題点があった。
【０００９】
この発明は、上述した従来技術による問題点を解消するため、杖を使用して歩行中に蜂などに遭遇した場合に、それらを撃退するスプレーの噴射をより迅速にかつ確実におこなうことを目的とする。
【課題を解決するための手段】
【００１０】
上述した課題を解決し、目的を達成するため、この発明にかかる撃退装置は、歩行の際に、当該歩行を補助する杖部と、前記杖部の長手方向の一端に設けられた把持部と、前記把持部の近傍に設けられた、スプレー容器を収納する容器収納部と、前記把持部の所定の箇所に設けられた、前記スプレー容器内の薬剤を噴射させる操作部と、前記把持部または前記容器収納部に設けられた、前記操作部による操作により、前記スプレー容器内の薬剤が噴射される噴射孔と、を備えたことを特徴とする。
【００１１】
また、この発明にかかる撃退装置は、上記発明において、前記操作部が、押下するボタンと、当該ボタンをカバーするカバー部材と、を有することを特徴とする。
【００１２】
また、この発明にかかる撃退装置は、上記発明において、前記容器収納部が、前記スプレー容器の出し入れをする開口部を備えたことを特徴とする。
【００１３】
また、この発明にかかる撃退装置は、上記発明において、前記容器収納部が、前記スプレー容器の噴射口と前記噴射孔との位置を調整する調整機構を備えたことを特徴とする。
【発明の効果】
【００１４】
この発明にかかる撃退装置によれば、杖を使用して歩行中に蜂などに遭遇した場合に、それらを撃退するスプレーの噴射をより迅速にかつ確実におこなうことができる。
【図面の簡単な説明】
【００１５】
【図１】この発明にかかる実施の形態の撃退装置の構成の一例を示す説明図（その１）である。
【図２】この発明にかかる実施の形態の撃退装置の構成の一例を示す説明図（その２）である。
【図３】この発明にかかる実施の形態の撃退装置の噴射操作部の構成の一例を示す説明図（その１）である。
【図４】この発明にかかる実施の形態の撃退装置の噴射操作部の構成の一例を示す説明図（その２）である。
【図５】この発明にかかる実施の形態の撃退装置の構成の一例を示す説明図（その３）である。
【図６】噴射操作機構の構成の一例を示す説明図である。
【図７】この発明にかかる実施の形態の撃退装置の構成の一例を示す説明図（その４）である。
【図８】調整機構である飛び出し防止リングの構成の一例を示す説明図である。
【発明を実施するための形態】
【００１６】
以下に添付図面を参照して、この発明にかかる撃退装置の好適な実施の形態を詳細に説明する。
【００１７】
（撃退装置の構成）
まず、この発明にかかる実施の形態の撃退装置１００の構成について説明する。図１および図２は、この発明にかかる実施の形態の撃退装置の構成の一例を示す説明図である。図２は、図１において、矢印Ａの方向から見た図である。
【００１８】
図１および図２において、撃退装置１００は、基本的な構造は、いわゆる「トレッキングポール」と同じである。すなわち、杖部（シャフト）１０１と、把持部（グリップ）１０２と、ストラップ１０８と、を備えている。把持部１０２は、杖部１０１の長手方向の一端に設けられる。また、杖部１０１には、使用者の身長などにあわせて、杖部１０１の長さを調整する長さ調整機構（たとえば、ジョイントロックなど）１０９を備えている。
【００１９】
トレッキングポールは、山登りにおいて使用する杖である。山登りでの足の負担を手にも分散させることで、長時間の歩行による足の筋肉やひざの疲労を緩和したり、転倒を防いだりすることができ、また、関節の筋肉や骨への負担を軽減することができる。トレッキングポールは、把持するグリップがＴ字型とＩ字型の２種類がある。Ｔ字型とＩ字型は、それぞれ特徴、使い方に違いがある。図１および図２においては、グリップがＴ字型のものの例を示している。
【００２０】
Ｔ字型のグリップの握り方は、まず、ストラップ１０８に手を通した後、手を上から被せるようにして握る、すなわち、Ｔ型の短い方（図１における把持部１０２の右側）を親指と人差し指で握り、長い方（図１における把持部１０２の左側）を中指、薬指、小指で握るのが一般的である。
【００２１】
杖部（シャフト）１０１の先端、すなわち、把持部１０２とは反対側の一端は、用途によって取り替え可能となっている。具体的には、図１などに示したゴムキャップ１１０のほか、図示を省略する、バスケットや石突などにすることができる。ゴムキャップ１１０は、石突を覆うゴム製のキャップであり、硬く尖った石突では、登山道や植物の根を傷つけるので、それを防止することができる。また、バスケットは、地面に突いたときに、深く沈み込まないようにしたり、岩の隙間に入り込まないようにするためのものである。
【００２２】
撃退装置１００は、杖部（シャフト）１０１と、把持部（グリップ）１０２などのトレッキングポールの機能のほか、図１および図２に示すように、容器収納部１０３と、噴射孔１０４と、操作部（操作機構）１０５と、を備えている。
【００２３】
ここで、容器収納部１０３は、後述する図７において示す蜂撃退用の蜂スプレー缶などのスプレー容器７５０を収納する。容器収納部１０３は、把持部１０２の近傍に設けられている。より具体的には、トレッキングポールにおける杖部（シャフト）１０１と、把持部（グリップ）１０２の間であって、図１、図２における把持部１０２のすぐ下側に設けられる。
【００２４】
噴射孔１０４は、スプレー容器７５０内の蜂などを撃退する薬剤が噴射される。噴射孔１０４は、図１および図２に示すように把持部１０２の所定の位置に設けられる。より具体的には、図１および図２において、噴射孔１０４は、把持部（グリップ）１０２の長い方（図１における把持部１０２の左側）のすぐ下の位置に設けられる。噴射孔１０４の位置は、この位置に限定されない。
【００２５】
グリップの形状や、スプレー容器７５０の大きさや形状、容器収納部１０３の形状などに応じて、適宜、変更することができる。また、図示は省略するが、噴射孔１０４は、把持部１０２に代えて、容器収納部１０３に設けられていてもよい。また、図示は省略するが、あらかじめ噴射孔１０４を複数個設けておいて、スプレー容器７５０の種類（大きさや形状）に応じて、使い分けをするようにしてもよい。
【００２６】
操作部（操作機構）１０５は、スプレー容器７５０内の薬剤を噴射させる操作をおこなう。操作部（操作機構）１０５は、把持部１０２の所定の箇所に設けられる。具体的には、たとえば、図１に示すように、把持部（グリップ）１０２の上側であって、トレッキングポールの長手方向における軸の中心付近に設けるのがよい。
【００２７】
このように、山道や草むらなどを通行する際に使用するトレッキングポール（杖）に蜂スプレーを内蔵し、歩行時でもトレッキングポールを持ったまま、急遽対応できる構造とすることができる。したがって、両方（トレッキングポールと蜂スプレー）を片手で持ち運ぶことが可能となる。
【００２８】
そして、トレッキングポールの持ち手部分に蜂スプレーが内蔵でき，噴出口を設ける構造とし，持ち手部分のスイッチボタンを押すと蜂スプレーがトレッキングポールの噴出口からそのまま噴射される。
【００２９】
（操作部（操作機構）１０５の内容）
つぎに、操作部（操作機構）１０５の内容について説明する。図３および図４は、この発明にかかる実施の形態の撃退装置の噴射操作部の構成の一例を示す説明図である。図３は、図１において、矢印Ｂの方向から見た操作部（操作機構）１０５である。また、図４は、図１と同じ方向で見た操作部（操作機構）１０５であり、その内部構成がわかるようにした断面図である。
【００３０】
図３および図４において、操作部（操作機構）１０５は、押下するボタン１０６と、ボタン１０６をカバーするカバー部材１０７を有する。ボタン１０６は、指で、杖部１０１側（図面における矢印側）へ押下する。このボタン１０６が押下されることによって、押下されている間だけ、スプレー容器７５０内の薬剤を噴射させることができる。その詳細な機構については、後述する（図５、図６などを参照）。
【００３１】
カバー部材１０７は、ボタン１０６を覆うようにカバーしている。カバー部材１０７は、図３における正面側（図４における右側）に開口部がある。そして、図４に示すように、カバー部材１０７の上側部分とボタン１０６との間には、指が挿入できて、挿入した指でボタン１０６が押下できる程度の空間が存在する。具体的には、高さが１．５ｃｍ〜２ｃｍ程度、横幅が、２ｃｍ〜３ｃｍ程度である。手袋などを使用する場合には、空間はもう少し大きくするようにしてもよい。
【００３２】
カバー部材１０７は、比較的堅い材質でできており、カバー部材１０７の上側からの手のひらや指などによる力、あるいは壁などにぶつけた際に生じる外力などが加わった場合でも、ボタン１０６が押下されてしまわないようにする。すなわち、スプレー容器７５０の薬剤が噴射されるのは、カバー部材１０７に挿入された指による操作のみであり、それ以外の状況において、不用意に、薬剤がスプレー容器７５０から噴出されないようにすることができる。
【００３３】
また、通常の歩行状態で、把持部１０２を把持した場合には、カバー部材１０７が手のひらに当たるので、比較的堅い材質のままでは、手のひらが痛くなる場合がある。そのため、カバー部材１０７の表面を加工するとよい。カバー部材１０７の表面には、具体的には、ゴムやスポンジなどの柔らかい材質を用いるようにしたり、形状を工夫するようにするとよい。
【００３４】
また、ボタン１０６を歩行時に間違って押さないよう、カバー部材１０７は、赤色や黄色など、目立つ色とすることで、作業者に注意喚起するようにしてもよい。
【００３５】
（ボタン１０６とスプレー容器７５０との関係）
つぎに、ボタン１０６とスプレー容器７５０との関係および薬剤の噴射の機構について説明する。図５は、この発明にかかる実施の形態の撃退装置の構成の一例を示す説明図であり、ボタン１０６の機構がわかるように記載している。
【００３６】
図５は、図２と同じ方向から見た撃退装置１００であり、ストラップ１０８の記載は省略している。図５に示すように、把持部１０２の内部には、ボタン１０６と、容器収納部１０３に収納されたスプレー容器７５０の押下部分であるアクチュエーター（噴射部）５０１が存在する。また、噴射孔１０４を通して、容器収納部１０３に収納されているスプレー容器７５０のアクチュエーター（噴射部）５０１の一部を見ることができる。
【００３７】
図６は、噴射操作機構の構成の一例を示す説明図である。図６は、図５における噴射操作機構のみを切り出した状態を示している。図６において、ボタン１０６に弾性部材（ばね部材）６０１の一端が接続されており、その他端は、スプレー容器７５０のアクチュエーター（噴射部）５０１の頭部に当接している。符号６０２は、スプレー容器７５０のアクチュエーター（噴射部）５０１における噴射口である。
【００３８】
図６の左側の（ａ）は、ボタン１０６が押下されていない状態を示しており、図６の右側の（ｂ）は、ボタン１０６が押下されている状態を示している。（ａ）の状態で、指でボタン１０６を押下すると、ボタン１０６の位置が図６における下側に移動し、それに連動して、弾性部材（ばね部材）６０１が縮んだ状態となる。それにより、弾性部材（ばね部材）６０１の反発力が増加し、その力がスプレー容器７５０のアクチュエーター（噴射部）５０１に伝わる。
【００３９】
スプレー容器７５０のアクチュエーター（噴射部）５０１は、弾性部材（ばね部材）６０１の反発力を受けて、図６（ｂ）に示すように、自身を下側へ移動させる。これによって、スプレー容器７５０の薬剤が、噴射口６０２から噴射されることになる。
【００４０】
そして、（ｂ）の状態で、ボタン１０６を押下している指の力を緩めると、それに連動して、弾性部材（ばね部材）６０１が伸張し、弾性部材（ばね部材）６０１の反発力が弱まるため、スプレー容器７５０のアクチュエーター（噴射部）５０１の復帰力によって、（ａ）に示すように自身は元の位置へ戻る。それにより、スプレー容器７５０の薬剤の噴射は停止する。
【００４１】
このようにして、直接、スプレー容器７５０のアクチュエーター（噴射部）５０１を操作することなく、スプレー容器７５０を容器収納部１０３に入れた状態で、スプレー容器７５０の薬剤を噴射することができる。
【００４２】
（スプレー容器７５０の交換について）
つぎに、スプレー容器７５０の交換について説明する。図７は、この発明にかかる実施の形態の撃退装置の構成の一例を示す説明図である。図７においては、撃退装置１００は、図２、図５と同じ方向に記載されている。
【００４３】
撃退装置１００は、把持部１０２と容器収納部１０３との間において、留め具７０１を解除することによって、ヒンジ機構により、図７に示すように、把持部１０２が回動し、そこに開口部７００が形成される。また、把持部１０２と容器収納部１０３との間には、飛び出し防止リング７０２が備えられている。
【００４４】
そして、この開口部７００から、スプレー容器７５０を容器収納部１０３へ収納する。収納したスプレー容器７５０の頭部に、飛び出し防止リング７０２をはめ込んだ後、把持部１０２を元の位置へ反対方向へ回動させ、留め具７０１を止めることで、スプレー容器７５０の装着が完了する。
【００４５】
スプレー容器７５０の薬剤を使い切って、新しいスプレー容器７５０と交換する際は、同様に、把持部１０２を回動させて、開口部７００を形成させることによって、おこなうことができる。
【００４６】
また、容器収納部１０３の底部には、弾性部材（ばね部材）７０３が備えられている。スプレー容器７５０を容器収納部１０３に収納すると、スプレー容器７５０が弾性部材（ばね部材）７０３に当接する。したがって、スプレー容器７５０を容器収納部１０３に収納する際には、容器収納部１０３の底部を弾性部材（ばね部材）７０３に当接させ、弾性部材（ばね部材）７０３の反発力に抗してスプレー容器７５０を容器収納部１０３に押し込む。
【００４７】
その後、スプレー容器７５０を容器収納部１０３に押し込んだ状態で、飛び出し防止リング７０２をスプレー容器７５０のアクチュエーター５０１にはめ込んで、把持部１０２を元の位置へ回動させ、留め具７０１を止める。これにより、スプレー容器７５０を把持部１０２側（図７における上側）へ付勢する。
【００４８】
このようにすることで、アクチュエーター５０１の頭部を弾性部材６０１に確実に当接させて、ボタン１０６による操作を確実にアクチュエーター５０１に伝えることができ、ボタン１０６の操作によるスプレー容器７５０の薬剤の噴射を確実におこなわせることができる。
【００４９】
蜂スプレーは既製品であってもよく、容器収納部１０３の上部が開閉型の構造としたので、蜂スプレーを取り出すことができる。したがって、使用済みのものと新しいものとを容易に交換することができる。
【００５０】
図８は、調整機構である飛び出し防止リングの構成の一例を示す説明図である。図８は、飛び出し防止リング７０２の構成を示している。図８において、飛び出し防止リング７０２はドーナツ形状をなしている。また、スプレー容器７５０が容器収納部１０３の中で回動することで、アクチュエーター５０１の噴射口６０２と、噴射孔１０４がずれてしまうことを防止するため、スプレー容器７５０の回動を規制する回動規制部材８０１を備える。具体的には、アクチュエーター５０１の周囲のカバー部７０４の間に挟み込んで、スプレー容器７５０の回動を規制する。
【００５１】
また、取り付け部８０２を、把持部１０２と容器収納部１０３との間のヒンジ機構に挟み込むことによって、飛び出し防止リング７０２を固定する。飛び出し防止リング７０２は、具体的には、ゴムなどの弾性力を有する材質によって形成されており、把持部１０２と容器収納部１０３との間におけるパッキンとしての機能も果たすことができる。
【００５２】
（撃退装置１００の使用方法の一例）
この撃退装置１００は、通常は、トレッキングポールとして使用し、山道などを歩行する際の歩行補助具として使用する。蜂などとの遭遇は、突然に発生する場合が多い。トレッキングポールとして使用しながらの歩行中に、蜂などと遭遇した場合は、ストラップ１０８に通した手のままで、把持部（グリップ）１０２を持ち替える。具体的には、Ｔ字型グリップの短い方が前側であったのを、持ち替えて、把持部１０２のＴ字型グリップの長い方を前側にする。
【００５３】
つぎに、グリップを把持している指のうち、たとえば、人差し指をカバー部材１０７とボタン１０６の間に挿入し、残った指でグリップを握り直す。その際、噴射孔１０４を指で塞がないように注意する。そして、Ｔ字型グリップの長い方を標的に向け、ボタン１０６に掛けた人差し指で、ボタン１０６を押下する。なお、指は、人差し指には限らず、親指など、他の指であってもよい。
【００５４】
Ｔ字型グリップの長い方のすぐ下側に噴射孔１０４を設けてあるので、Ｔ字型グリップの長い方が照準器代わりとなり、より的確な方向に噴射することができる。また、噴射する際に、噴射孔１０４の位置を確認しなくても、Ｔ字型グリップの長い方のすぐ下側に噴射孔１０４があることがわかるので、噴射孔１０４の確認作業を省略でき、即座に、噴射を開始することができる。したがって、蜂スプレーを常に持って歩行していた状態と同じ感覚で即座に使用できる。
【００５５】
このように撃退装置１００を携行するだけで、蜂などからの不意の攻撃に対しての万全の迎撃態勢を整えることができる。遅滞ない即座のスプレー噴射は、蜂に刺されるなどの被害を最小限に抑えることができる。
【００５６】
以上説明したように、この発明にかかる実施の形態の撃退装置１００は、歩行の際に、当該歩行を補助する杖部１０１と、杖部１０１の長手方向の一端に設けられた把持部１０２と、把持部１０２の近傍に設けられた、スプレー容器７５０を収納する容器収納部１０３と、把持部１０２の所定の箇所に設けられた、スプレー容器７５０内の薬剤を噴射させる操作部１０５と、把持部１０２または容器収納部１０３に設けられた、操作部１０５による操作により、スプレー容器７５０内の薬剤が噴射される噴射孔１０４と、を備えることができる。
【００５７】
これにより、即座にスプレー噴射態勢に移ることができるので、杖（トレッキングポール）を使用して歩行中に蜂などに遭遇した場合に、それらを撃退するスプレーの噴射をより迅速にかつ確実におこなうことができる。
【００５８】
この発明にかかる実施の形態の撃退装置１００は、操作部１０５が、押下するボタン１０６と、ボタン１０６をカバーするカバー部材１０７と、を有するので、誤操作を防止することができる。
【００５９】
この発明にかかる実施の形態の撃退装置１００は、容器収納部１０３が、スプレー容器７５０の出し入れをする開口部７００を備えるので、スプレー容器７５０の交換を容易におこなうことができる。
【００６０】
この発明にかかる実施の形態の撃退装置１００は、容器収納部１０３が、スプレー容器７５０の噴射口６０２と噴射孔１０４との位置を調整する調整機構を備えるので、噴射口６０２から噴射された薬剤を、噴射孔１０４から外部へ確実に噴射させることができる。
【産業上の利用可能性】
【００６１】
以上のように、この発明にかかる撃退装置は、蜂などの人間に害を及ぼす生物を撃退する撃退装置であり、特に、杖を使用して歩行中に蜂などに遭遇した場合に、それらを撃退するスプレーの噴射をより迅速にかつ確実におこなうことができる撃退装置に適している。
【符号の説明】
【００６２】
１００  撃退装置
１０１  杖部
１０２  把持部
１０３  容器収納部
１０４  噴射孔
１０５  操作部（操作機構）
１０６  ボタン
１０７  カバー部材
１０８  ストラップ
１０９  長さ調整機構
１１０  ゴムキャップ
５０１  アクチュエーター
６０１、７０３  弾性部材（ばね部材）
６０２  噴射口
７００  開口部
７０１  留め具
７０２  飛び出し防止リング
７０４  カバー部
７５０  スプレー容器（スプレー缶）
８０１  回動規制部材
８０２  取り付け部
【図１】
2020145966.tif 000003
【図２】
2020145966.tif 000004
【図３】
2020145966.tif 000005
【図４】
2020145966.tif 000006
【図５】
2020145966.tif 000007
【図６】
2020145966.tif 000008
【図７】
2020145966.tif 000009
【図８】
2020145966.tif 000010